(57)【要約】【課題】  従来の手提げ孔付米袋は、ラミネートフィルムからなるシートに手提げ孔を加工しただけのものであり、手提げしたときに５ｋｇ〜１０ｋｇもある米の重量により発生する応力を４本の手指で支えるため手提げ孔部が変形し、手提げ孔の上部周縁における人差し指と小指近辺に集中するため、その部分が延びて変形し易く、フィルムに亀裂が入って裂けやすくなる問題があった。【解決手段】  袋を構成する前パネルと後パネルの間にそのパネルに設けられた第一の手提げ孔を塞ぐ大きさに切断された補強シートを挟み込んで熱シールし、かつその補強シートには前後のパネルに設けられた第一の手提げ孔よりも小さく形成された第二の手提げ孔を前後のパネルの手提げ孔の内側に配置して設けることにより、手指が前後のパネルの手提げ孔周縁に直接接触しないようにすることにより袋の破損を防止できる。【選択図】 図１
2008024352.tif 000002
【特許請求の範囲】
【請求項１】
プラスチック製ラミネートフィルムからなり、かつ袋を構成する前パネルと後パネルに共通の第一の手提げ孔が形成された袋であって、
前パネルと後パネルとの間に、ポリエチレン製フィルム又は不織布シートからなる補強シートが第一の手提げ孔を塞ぐ大きさに切断されて挿入されており、
その補強シートには第一の手提げ孔よりも小さな第二の手提げ孔が形成されるとともに、第一の手提げ孔の内側に配置され、
第一の手提げ孔を両側から挟むように袋の両側縁に直交する口元シールが行われることにより補強シートが前パネルと後パネルの間に融着されていることを特徴とする手提げ孔付米袋。
【請求項２】
前パネルと後パネルに形成された手提げ孔の内周の上縁と、補強シートに形成された手提げ孔の内周の上縁との距離が５ないし２０ｍｍ離れるように手提げ孔が手提げ孔よりも小さく形成されて配置されている請求項１記載の手提げ孔付米袋。
【発明の詳細な説明】
【技術分野】
【０００１】
この発明は、手提げ孔が設けられたラミネートフィルム製の米袋において、袋の前後面を形成する前パネルと後パネルの間に、ポリエチレン製フィルム又は不織布シートからなる補強シートを挟み込むことによって、手提げ孔部における強度を向上させるとともに、手触りを優しくした手提げ孔付き米袋に関する。
【背景技術】
【０００２】
一般的な米袋の材質は、プラスチック製ラミネートフィルムが主流であり、スーパーマーケットや米販売店で購入して持ち帰るために、手提げ用の孔が設けられたものがある。
ラミネートフィルム製で手提げ孔が設けられた米袋の一例として、特許３４８７３１７号の公報に記載されたものが知られている。
【特許文献１】特許３４８７３１７号公報
【発明の開示】
【発明が解決しようとする課題】
【０００３】
前記特許３４８７３１７号公報に記載された米袋５１は、ラミネートフィルムからなり、図４に示すように一端に把手５２が形成され、口元シール５３と把手シール５４の間に手提げ孔５５が設けられている。この米袋５１は、手提げ孔５５が設けられているので手提げして持ち帰ることができるが、手提げしたときに５ｋｇ〜１０ｋｇもある米の重量により発生する応力を手指で支えるため図５に示すように手提げ孔５５が変形し、手提げ孔５５の上部周縁における手指の人差し指近辺のＸ部及び小指近辺のＹ部に集中するため、その部分が延びて変形し易く、フィルムに亀裂Ｚが入って裂けやすくなる欠点があった。
【０００４】
また、上記手提げ孔５５周辺のフィルムが延びることを防止するために、手提げ孔５５の周囲を５〜１０ｍｍ幅で熱シールして強化する方法も試みられているが、フィルムが熱シールされるとそのシール部分が硬化するため、重い米袋を手提げして歩くときに硬化部分が手指に強く当たり、痛くなることがあった。
【０００５】
この発明は、上述の課題を解決するためになされたもので、その目的は、米が充填された重い袋を手提げして歩いても、手提げ孔部の変形が少なく、しかも手に優しく痛くならない米袋を提供することにある。
【課題を解決するための手段】
【０００６】
上記目的を達成するために、米が充填された袋を持ち下げた時に作用する力を分散するための補強シートを袋の前パネルと後パネルの間に挟み込んで熱シールし、かつその補強シートには前パネルと後パネルに設けられた手提げ孔よりも小さく形成された手提げ孔を設けたことを特徴とするものである。
さらに具体的には、
プラスチック製ラミネートフィルムからなり、かつ袋を構成する前パネルと後パネルに共通の第一の手提げ孔が形成された米袋であって、
前パネルと後パネルとの間に、ポリエチレン製フィルム又は不織布シートからなる補強シートが第一の手提げ孔を塞ぐ大きさに切断されて挿入されており、
その補強シートには第一の手提げ孔よりも小さな第二の手提げ孔が形成され、その手提げ孔は第一の手提げ孔の内側に配置され、
第一の手提げ孔を挟むように袋の両側縁に直交する２本の口元シールが行われることにより補強シートが前パネルと後パネルに融着されていることを特徴とする手提げ孔付米袋である。
また、前パネルと後パネルに形成された手提げ孔の内周の上縁部と、補強シートに形成された手提げ孔の内周の上縁部との距離が５ないし２０ｍｍ離れるように手提げ孔が手提げ孔よりも小さく形成されて配置されていることを特徴とする手提げ孔付米袋である。
【発明の効果】
【０００７】
上記の構成とすることにより、米が充填された袋の手提げ孔に手を挿入して持ち下げた時、補強シートの手提げ孔の内周の上縁部は掌と反対側、即ち指先側へＬ字状に折れ曲がって手指に当たることとなる。この時、前パネルと後パネルの手提げ孔の上縁には米の重量による応力は直接作用しないため掌手提げ孔の内周の上縁部のいずれも掌に強く当たらない。
補強シートの手提げ孔を前後のパネルの手提げ孔よりも小さく形成することにより、補強シートが折れ曲がって手の指腹に所定の幅を持って接触する手に優しい米袋とすることができる。
補強シートが前後のパネルの間に介在することにより、米の重量による応力は補強シートに分散し、パネルの手提げ孔の周辺に集中せず、よって手提げ孔部の破損を防ぐ米袋となる。
【発明を実施するための最良の形態】
【０００８】
以下、この発明の実施例を図１ないし図３に示す図面に基づいて説明する。
袋１は２枚のシートが重ね合わされており、前パネル２に米の銘柄、後パネル３に精米所名等々が印刷されている。重ね合わされた前パネル２と後パネル３の所定位置に、第一の手提げ孔４と手提げ孔５を刃物で打ち抜いて同時加工する。この手提げ孔４、５は従来の手提げ孔よりも大きく形成されるものである。
【０００９】
前パネル２と後パネル３を一旦上下に分離し、その間へ第一の手提げ孔４、５を塞ぐ大きさに切断されたに補強シート６を挿入して後パネル３の内面にに重ねた後、位置ズレを防ぐための仮止めを行う。仮止めの方法は、熱によるポイントシール、接着等々あまり強度を必要としない手段でよい。補強シート６の材質は、手に直接触れても痛さを感じにくいポリエチレンや不織布からなる。
【００１０】
続いて補強シート６に前記前パネル２と後パネル３に加工された手提げ孔４、５よりも一回り小さく形成された第二の手提げ孔７を刃物で打ち抜く。
第一の手提げ孔４、５の下部周縁４ａ、５ａと第二の手提げ孔７の下部周縁７ａはその位置が一致しているが、第二の手提げ孔７の上部周縁７ｂは第一の手提げ孔４、５の上部周縁４ｂ、５ｂから所定距離だけ下方へ離れた内側に位置している。補強シート６における手提げ孔７の上部周縁７ｂと前後のパネル２、３における手提げ孔４、５の上部周縁４ｂ、５ｂとの距離Ｘは、５ｍｍから２０ｍｍぐらいが好ましい。
上記距離Ｘが小さいと、袋１が米の重量で変形したときに前後のパネル２、３における手提げ孔４、５の上部周縁４ｂ、５ｂが手指の腹に直接当たって痛さを感ずるようになる。
【００１１】
手提げ孔４、５が一致するように前パネル２と後パネル３を再び重ね合わせ、フィルムの流れ方向の両側縁に直線状の側縁シール８を行う。続いてフィルムの流れ方向に直角方向に直線状に手提げ孔を挟んで上下に下口元シール９と上口元シール１０を行う。上口元シール１０と若干の距離を保って補強シール１１を行う。補強シール１１は手提げ孔４、５の上部に形成された把手部１２を幅広く取るために行うが、必要としない場合もある。
【００１２】
下口元シール９と上口元シール１０が行われた袋体は、ギロチンカッターで一枚ずつカットして単葉の米袋に仕上げるか、もしくは連続してロール状に巻取る。
単葉の袋の場合は、米を充填した後で底シールを行って密封し、ロール状に巻き取られたものでは、米を充填する際にカットして米を充填し、底シールを行って密封する。
【００１３】
米が充填された袋１において、手提げ孔４、５、７に手指を通してぶら下げると（図３）、補強シート６の手提げ孔上部周縁６ａが掌と反対側へほぼＬ字状に折れ曲って、その部分が手指に当たり、前後のパネル２、３の手提げ孔４、５の上部周縁４ｂ、５ｂが直接当たることはない。
【００１４】
補強シート６に不織布を採用した場合、不織布には小さな空隙が内在しているので、袋内の米収容部１３と手提げ孔７との間に下口元シール９を行っても空気は流通可能であり、空気抜きの通路として利用することができる。米袋を平らに積み重ねるとき、袋内に空気が充満していると積み重ねたときに不安定となるが、手提げ孔４、５を通して空気抜きができれば安定した状態で積み重ねることが出来る。
【図面の簡単な説明】
【００１５】
【図１】は、この発明の実施の形態に係る米袋の構成を示す正面図である。
【図２】は、同米袋の一部を破断した正面図である。
【図３】は、同米袋に米を充填した使用状態における断面図である。
【図４】は、従来の米袋の斜視図である。
【図５】は、同米袋に米を充填した状態の正面図である。。
【符号の説明】
【００１６】
１・・・米袋
２・・・前パネル
３・・・後パネル
４・・・手提げ孔
５・・・手提げ孔
６・・・補強シート
７・・・手提げ孔
８・・・側縁シール
９・・・下口元シール
１０・・上口元シール
【図１】
2008024352.tif 000003
【図２】
2008024352.tif 000004
【図３】
2008024352.tif 000005
【図４】
2008024352.tif 000006
【図５】
2008024352.tif 000007